(57)【要約】【課題】小型機器の所在が不明になった場合においても、所定時間が経過すると音声を発生して、小型機器の所在を確実に知らせること。【解決手段】小型機器の使用又は操作で発生する振動を検出する振動検出器１と、振動検出器の振動検出でセットされてカウントダウン終了を出力するタイマー２と、タイマーの出力をもとに制御され音声を発生するブザー７と、を備えた小型機器の所在通報機構であって、振動検出器１による振動の検出によってタイマー２がセットされてタイマーのカウントダウンが開始され、カウントダウンの終了によってブザー７より音声の発生が開始され、音声発生が所定時間持続した後に音声発生を停止する機能を有し、タイマー２によるカウントダウン中に振動が検出されると、タイマー２はカウントダウンの再設定を行う構成とする。【選択図】図１
2007018074.tif 000002
【特許請求の範囲】
【請求項１】
小型機器の使用又は操作で発生する振動を検出する振動検出器と、前記振動検出器の振動検出でセットされてカウントダウン終了を出力するタイマーと、前記タイマーの出力をもとに制御され音声を発生するブザーと、を備えた小型機器の所在通報機構であって、
前記振動検出器による振動の検出によって前記タイマーがセットされてタイマーのカウントダウンが開始され、前記カウントダウンの終了によって前記ブザーより音声の発生が開始され、前記音声発生が所定時間持続した後に音声発生を停止する機能を有し、
前記タイマーによるカウントダウン中に前記振動が検出されると、前記タイマーはカウントダウンの再設定を行う
ことを特徴とする小型機器の所在通報機構。
【請求項２】
請求項１において、
前記タイマーのカウントダウン期間、前記音声発生の持続時間、及び発生する音声の種類は、ユーザ設定可能とする
ことを特徴とする小型機器の所在通報機構。
【発明の詳細な説明】
【技術分野】
【０００１】
本発明は携帯プレーヤやリモコンなどの小型機器に関し、特に、小型機器の所在を通報する通報機構に関する。
【背景技術】
【０００２】
携帯オーデオプレーヤ、ＵＳＢメモリ、リモコン、ボイスレコーダなど機器の小型化が推進され、小型であるために紛失し、所在がわからなくなる場合が多くなる。従来、小型機器の置き場所は記憶を頼りに探索していたが、探索の効率が悪く、小型機器が所在不明になる場合も多々あった。
【発明の開示】
【発明が解決しようとする課題】
【０００３】
小型機器の所在がわかるように、小型機器に無線による検出機構を搭載することが考えられる。しかし、検出しようとする側から無線手段などを用いて、検出される側の小型機器の所在を検出する構成は、検出しようとする側の装置や小型機器において回路機構が大規模となり、コストもアップするという課題が生じる。
【０００４】
本発明の目的は、小型機器の使用後に所定時間が経過すると音声を発生して所在を通報する小型機器を提供することにある。
【課題を解決するための手段】
【０００５】
前記課題を解決するために、本発明は主として次のような構成を採用する。  
小型機器の使用又は操作で発生する振動を検出する振動検出器と、前記振動検出器の振動検出でセットされてカウントダウン終了を出力するタイマーと、前記タイマーの出力をもとに制御され音声を発生するブザーと、を備えた小型機器の所在通報機構であって、
前記振動検出器による振動の検出によって前記タイマーがセットされてタイマーのカウントダウンが開始され、前記カウントダウンの終了によって前記ブザーより音声の発生が開始され、前記音声発生が所定時間持続した後に音声発生を停止する機能を有し、
前記タイマーによるカウントダウン中に前記振動が検出されると、前記タイマーはカウントダウンの再設定を行う構成とする。
【発明の効果】
【０００６】
本発明によると、小型機器の所在が不明になった場合においても、所定時間が経過すると音声を発生するために、小型機器の所在を確実に知らせることができる。
【０００７】
また、タイマー設定による所定時間の経過中に再度振動が検出されると、タイマーを再セットするので音声を適宜のタイミングで発生することができる。
【発明を実施するための最良の形態】
【０００８】
本発明の実施形態に係る小型機器の所在通報機構について、図１と図２を参照しながら以下説明する。図１は本発明の実施形態に係る小型機器の所在通報機構の全体構成を示す図である。図２は本実施形態に係る小型機器の所在通報機構の動作手順を示すフローチャートである。
【０００９】
図１において、１は振動検出器、２はタイマー部、３はマイコン部、４は音声発生回路、５はプログラムメモリ、６は設定値保存メモリ、７はブザー、をそれぞれ表す。
【００１０】
本実施形態に係る小型機器の所在通報機構は、携帯プレーヤ、携帯型メモリ、リモコン、ボイスレコーダなどの小型機器に対して付設されるものであり、図１に示す種々の構成要素から成り立っている。すなわち、本実施形態の小型機器所在通報機構は、小型機器が使用又は操作された際に生じる振動を検出する振動検出器１と、振動検出器１で検出された振動によりセットされ、カウントダウンを開始して終了したことを通知するタイマー部２と、タイマー部２からのカウントダウン終了通知を受けて、音声の発生指示信号を出すように制御するマイコン部３と、を備えている。
【００１１】
さらに加えて、本実施形態の小型機器所在通報機構は、マイコン部３の動作プログラムを格納するプログラムメモリ５と、タイマー部２の設定時間、音声の持続時間などの設定情報を格納する設定値保存メモリ６と、マイコン部３の音声の発生指示信号を受けて音声信号を発生する音声発生回路４と、音声発生回路４からの出力で実際に音声を発生するブザー７と、を備えている。また、設定値保存メモリ６にはタイマー部設定時間、音声持続時間の他に、発生する音声の種類、種別を格納してもよい（異なる種類、種別の音声を発生し得る）。
【００１２】
図２は図１のプログラムメモリ５に格納されているプログラムのフローを示す。図２において、まず、ユーザの設定によって音声発生持続時間の設定（ステップＳ２１）とタイマー時間の設定（ステップ２２）がなされ、振動検出器１による振動検出でタイマー部２のカウントダウンが開始される（ステップＳ２３）。そして、カウントダウンの間に、振動検出器１により振動を検出すると（ステップＳ２５）タイマー部２は再設定される（ステップＳ２４）。
【００１３】
ステップ２５で振動検出されない場合に、タイマー部２のカウントダウンが終了すると（ステップＳ２６）、マイコン部３と音声発生回路４を介してブザー７より音声が発生される（ステップＳ２７）。この音声発生によって小型機器の所在を通報することができる。また、音声発生とともに音声発生持続時間のカウントダウンが開始され（設定値保存メモリ６には音声発生持続時間が設定情報として格納されているので、この設定情報に基づいたマイコン部３の制御により音声発生持続時間をカウントダウンする）（ステップＳ２８）、音声発生持続時間のカウントダウンが終了すると（ステップＳ２９）、ブザーの音声は停止される（ステップＳ３０）。
【００１４】
このように、本発明の実施形態に係る小型機器の所在通報機構は、次のような構成を備えて機能乃至作用を奏することを特徴とするものである。すなわち、音声発生用のブザー、音声を発生する時間を決定するタイマー、タイマーをセットするための振動検出器、を備えた小型機器の所在通報機構であって、振動検出器（小型機器を操作又は使用する際に発生する振動を検出するもの）によって音声を発生する時刻をタイマーにセットして、設定された時刻が経過すると音声発生用のブザーから音声が発生されるものである。
【００１５】
振動検出器で振動を検出することにより、タイマーが設定され、その時点からタイマーのカウントダウンがはじまり、カウントダウンが終了した時点で、音声が発生することを特徴とする。そして、タイマーのカウントダウン中に小型機器の操作等で振動が検出されるとタイマーが再セットされ、タイマーがカウントダウンする時間が延長される。これにより、定期的に小型機器が操作されることにより、所在通報するための音声発生の機会は減少して、しばしば音声が発せられるという煩わしさを防止することを特徴とする。なお、当然のことながら、小型機器がしばらく放置されると、設定されたタイマーがタイムアップして所在を通報するための音声が発せられる。
【００１６】
以上の説明で、本実施形態に係る所在通報機構が搭載される対象は小型機器であるとしたが、これに限らず、通常サイズの機器に搭載された所在通報機構も当然に、本発明の技術的範囲内に属することとなる。
【図面の簡単な説明】
【００１７】
【図１】本発明の小型機器の検出機能の構成を示す図である。
【図２】本発明の小型機器の検出機能の動作のフローチャートを示す図である。
【符号の説明】
【００１８】
１  振動検出器
２  タイマー部
３  マイコン部
４  音声発生回路
５  プログラムメモリ
６  設定値保存メモリ
７  ブザー
【図１】
2007018074.tif 000003
【図２】
2007018074.tif 000004